(57)【要約】【課題】既設の浴室壁等の強度が弱い場合でも、シャワー装置を設置することが可能となり、また壁裏の配管工事等を行う必要がなく、配管に被覆材を巻く必要もなく、施工が短期間で低コストで行えるシャワー装置を提供する。【解決手段】湯と水を混合し得る温度調節部と、温度調節部で混合された温水を散水できる複数の散水ノズル１０，１０，１０を備え、既設の浴室壁面等に設置するシャワー装置１において、浴室壁面等に、まず室内側から補強部材３０を取り付け、この補強部材に対してシャワー装置１を取り付け可能に構成するとともに、補強部材３０内には、シャワー装置の温度調節部へ湯と水を供給するための配管を取り回しできる配管スペースが備えられている。【選択図】                図１
2004298519.tif 000002
【特許請求の範囲】
【請求項１】
湯と水を混合し得る温度調節部と、該温度調節部で混合された温水を散水できる複数の散水ノズルを備え、既設の浴室壁面等に設置するシャワー装置において、まず室内から浴室壁面等に補強部材を取り付け、該補強部材に対して前記シャワー装置を取り付け可能に構成するとともに、前記補強部材には、前記シャワー装置の温度調節部へ湯と水を供給するための配管を取り回しできる配管スペースが備えられていることを特徴とするシャワー装置。
【請求項２】
浴室壁面等への取付面を除く前記補強部材のほぼ全体を、室内側よりカバー材で覆蓋したことを特徴とする請求項１に記載のシャワー装置。
【請求項３】
前記補強部材は、浴室壁面等に当接する補強板面と、補強部材を浴室壁面等に固定するための壁固定部と、前記シャワー装置を固定するためのシャワー装置固定部を備え、前記壁固定部は、上下方向，左右方向に所定の間隔で複数の固定箇所を備え、浴室壁面等の状況等に合わせて固定箇所を選択可能に構成されていることを特徴とする請求項１に記載のシャワー装置。
【請求項４】
前記カバー材は、前記補強部材を浴室壁面等に固定した状態で着脱が可能に構成されていることを特徴とする請求項２または請求項３に記載のシャワー装置。
【請求項５】
前記補強部材には、洗面器台を固定する洗面器台固定部が備えられていることを特徴とする請求項１または請求項２または請求項３または請求項４に記載のシャワー装置。
【請求項６】
前記補強部材の下部には、床面へ向かって垂下状に脚部が備えられていることを特徴とする請求項１または請求項２または請求項３または請求項４または請求項５に記載のシャワー装置。
【請求項７】
前記カバー材には、前記シャワー装置が取り付いた状態で開閉可能な点検口が設けられていることを特徴とする請求項１または請求項２または請求項３または請求項４または請求項５または請求項６に記載のシャワー装置。
【請求項８】
前記補強部材の壁固定部は、床面からの高さが９００ｍｍ以下に設定されていることを特徴とする請求項３に記載のシャワー装置。
【発明の詳細な説明】
【０００１】
【発明の属する技術分野】
この発明は、浴室に取り付けられるシャワー装置に関するものである。
【０００２】
【従来の技術】
従来、複数のノズルから散水するシャワー装置は、浴室壁面に直接取り付けられていた。
【０００３】
【特許文献１】
特開２００２−１１２９１２号公報
【特許文献２】
特開平６−２２８７８号公報
【０００４】
【発明が解決しようとする課題】
従来ではシャワー装置を設置する場合に、浴室壁面の強度が不足したり、壁面の裏側に配管や補強材が通っていると、シャワー装置を設置できない場合があった。
また、浴室壁面の段差や浴室の窓の位置によっては、壁面の段差等でシャワー装置を設置できない場合もあり、また、湯，水の配管をシャワー装置の裏側から接続するためには、浴室壁面や壁面の裏配管等まで工事する必要があり、工事期間が長くなり、コストが高くなってしまい、さらには、壁裏に配管した後には、壁裏の配管のメンテナンス，点検ができないという問題点があった。
なお、既設の配管から浴室内部で配管をシャワー装置に引き込むことも考えられるが、このような配管では、配管が浴室内で露出して見栄えが悪くなり、また湯の配管は高温になるため、湯の配管の外周に被覆材等を巻着する等の手段が必要となっていた。
【０００５】
【課題を解決するための手段】
本発明は、上記従来の問題点に鑑み案出したものであって、既設の浴室壁面等の強度が弱い場合でも、良好に見栄え良く設置できるシャワー装置を提供せんことを目的とし、その第１の要旨は、湯と水を混合し得る温度調節部と、該温度調節部で混合された温水を散水できる複数の散水ノズルを備え、既設の浴室壁面等に設置するシャワー装置において、まず室内から浴室壁面等に補強部材を取り付け、該補強部材に対して前記シャワー装置を取り付け可能に構成するとともに、前記補強部材には、前記シャワー装置の温度調節部へ湯と水を供給するための配管を取り回しできる配管スペースが備えられていることである。
【０００６】
また第２の要旨は、浴室壁面等への取付面を除く前記補強部材のほぼ全体を、室内側よりカバー材で覆蓋したことである。
また第３の要旨は、前記補強部材は、浴室壁面等に当接する補強板面と、補強部材を浴室壁面等に固定するための壁固定部と、前記シャワー装置を固定するためのシャワー装置固定部を備え、前記壁固定部は、上下方向，左右方向に所定の間隔で複数の固定箇所を備え、浴室壁面等の状況等に合わせて固定箇所を選択可能に構成されていることである。
また第４の要旨は、前記カバー材は、前記補強部材を浴室壁面等に固定した状態で着脱が可能に構成されていることである。
【０００７】
また第５の要旨は、前記補強部材には、洗面器台を固定する洗面器台固定部が備えられていることである。
また第６の要旨は、前記補強部材の下部には、床面へ向かって垂下状に脚部が備えられていることである。
また第７の要旨は、前記カバー材には、前記シャワー装置が取り付いた状態で開閉可能な点検口が設けられていることである。
また第８の要旨は、前記補強部材の壁固定部は、床面からの高さが９００ｍｍ以下に設定されていることである。
【０００８】
【発明の実施の形態】
以下、本発明の実施例を図面に基づいて説明する。
図１は、分岐なしタイプのシャワー装置の設置状態を示す斜視構成図であり、図３は、その正面図であり、また図４は、その側面図である。
【０００９】
シャワー装置１は、水栓金具部２が横設され、水栓金具部２の前面には、右側からハンドシャワー／吐水口切替開閉ハンドル４，全身シャワー開閉ハンドル５，温度調節ハンドル６が、それぞれ操作可能に設けられており、水栓金具２の下部には、吐水口７が設けられている。
また、水栓金具部２から側方へ、ホースを介してハンドシャワー８が引き出されている。
【００１０】
この水栓金具部２の上面には、取り外し可能にカバー３が設けられており、カバー３の左右には、一対の上アーム９，９が前方側へ回動可能に設けられており、各上アーム９には、間隔をおいて散水ノズル１０，１０，１０が設けられている。
また、水栓金具部２の左右から、下方へ垂下状に一対の下アーム１１，１１が固定状に設けられており、この下アーム１１にもそれぞれ散水ノズル１０，１０が設けられている。
この固定状の一対の下アーム１１，１１間には、洗面器を置くことのできる洗面器台１３が配置されている。
また、前記一対の上アーム９，９間の浴室壁面には、鏡１２が取り付けられている。
【００１１】
なお、水栓金具部２の内部構造を図２の平面拡大図で示し説明すると、水栓金具部２内には、給水管に接続される流量調節栓１４と、給湯管に接続される流量調節栓１５が配置され、流量調節栓１４には水管１６が接続され、また流量調節栓１５には湯管１７が接続されて、この水管１６と湯管１７は、温度調節部１８にそれぞれ接続されており、この温度調節部１８内で湯と水が混合されるように構成されている。この温度調節部１８は、温度調節ハンドル６を操作することにより、混合する温水の温度を設定できるものである。
この温度調節部１８の出口側には、温水管１９が接続されており、温水管１９の途中には、分岐部２０が設けられて、この分岐部２０から第１水路２１と第２水路２３に分かれており、第１水路２１には、全身シャワー開閉バルブ２２が接続されている。この全身シャワー開閉バルブ２２は、全身シャワー開閉ハンドル５を操作することにより開閉でき、開けた場合には、前述した散水ノズル１０，１０，１０から温水を噴出させることができるものである。
【００１２】
一方、第２水路２３には、ハンドシャワー／吐水口切替開閉バルブ２４が接続されており、このハンドシャワー／吐水口切替開閉バルブ２４は、ハンドシャワー／吐水口切替開閉ハンドル４を操作することにより、前記吐水口７側から吐水させる場合と、ハンドシャワー８から吐水させる場合とを切り替えできるように構成されている。
このような構成のシャワー装置１は、既設の浴室壁面Ｗに、まず室内側から補強部材を取り付け、この補強部材にカバー材３０を被せて、このカバー材３０の前面に取り付けられている。
【００１３】
補強部材およびカバー材３０は、図４の側面図で示すように、床面から上端までの高さが９００ｍｍ以下となるように設定されており、既設の浴室壁面Ｗが、腰壁までがタイル張りである場合にも、この腰壁より下の範囲内で良好に設置でき、腰壁から上方は強度の弱い壁面であっても、腰壁から下部に補強部材およびカバー材３０を強固に取り付け、補強部材およびカバー材３０を介在させて、既設の浴室壁面等にシャワー装置１を十分な強度で取り付けできるように構成されている。
【００１４】
なお、図５の正面図で示すシャワー装置の設置状態は、分岐ありタイプの場合であり、この図５の場合は、浴室壁面に既に設置されている既存水栓２６から、水および湯のそれぞれのフレキ管２７，２７を接続して、既存水栓２６から水と湯をシャワー装置１の水栓金具部２へ導くように構成したものである。
この図５に示す分岐ありタイプの場合の補強部材４０について、まず説明する。
【００１５】
図６および図７に示すように、補強部材４０は、左右に一対の断面コの字状のアングル４１，４１が立設されており、この左右のアングル４１，４１の前面４１ａ，４１ａの上部には、ビス４３，４３，４３，４３を介して、横方向にシャワー装置固定部４２が固定されている。このシャワー装置固定部４２の上端は、裏側へ折り曲げられ、更に裏側後端は下方へ折り曲げられて引掛け片４２ａとなっている。
また、シャワー固定部４２の中央部には、点検口４４が開口されており、また、その左右には開口４２ｂ，４２ｂが形成されている。
【００１６】
更にシャワー装置固定部４２には、前記シャワー装置１を固定するための下孔４５，４５，４５が複数形成されている。
更に左右のアングル４１，４１の下部前面には、ビス４３，４３，４３を介して、洗面器台固定部４６が固定されており、この洗面器台固定部４６には、前記洗面器台１３を取り付けるための下孔４７，４７が形成されている。
この洗面器台固定部４６の下端中央部には、脚部４８がアジャスターネジ４８ａを介して高さ調節可能に垂設されている。
【００１７】
左右のアングル４１の裏面は、浴室壁面Ｗ等に当接する補強板面４１ｂとなっており、この補強板面４１ｂには、上下方向に間隔をおいて複数の壁固定部（ビス孔）４１ｃ，４１ｃ，４１ｃが形成されている。
本例では、上下方向に６個の壁固定部（ビス孔）４１ｃ，４１ｃ，４１ｃ，４１ｃ，４１ｃ，４１ｃが形成されており、この６個の壁固定部（ビス孔）４１ｃ，４１ｃのうち、上部の２個の壁固定部（ビス孔）４１ｃ，４１ｃのそれぞれに整合するシャワー装置固定部４２の位置には、ビスを通すことのできるバカ孔４２ｃがそれぞれ形成されている。即ち、シャワー装置固定部４２には４個のバカ孔４２ｃ，４２ｃ，４２ｃ，４２ｃが形成されている。
【００１８】
このように補強部材４０は、左右一対のアングル４１，４１と、上端に横設されたシャワー装置固定部４２と、下端に横設された洗面器台固定部４６で構成されており、シャワー装置固定部４２と洗面器台固定部４６間には、配管を取り回すことのできる配管スペースＳが形成されている。
この配管スペースＳ内に、水と湯用のそれぞれのフレキ管５１，５２を配管しておくことができ、シャワー装置固定部４２の下端側に、水用壁出し継手５０ａと、湯用壁出し継手５０ｂを取り付けて、壁出し継手５０ａ，５０ｂにそれぞれのフレキ管５１，５２を接続しておくことができる。
【００１９】
また、フレキ管５１，５２の下端は、左側のアングル４１に接続部５３ａ，５３ｂを介在させて取り付けておき、接続部５３ａ，５３ｂは、アングル４１の外側へ突出させて、外側に、水抜き栓５５ａ，５４ａをそれぞれ備えたエルボ５５，５４を予め取り付けておくことができる。
この各エルボ５４，５５には、前述した既存水栓２６からのフレキ管２７，２７を接続することができ、既存水栓２６からフレキ管２７，２７を介して、このエルボ５４，５５に水および湯を供給できるものである。
【００２０】
なお、このような補強部材４０を既設の浴室壁面に取り付けるに際し、まず浴室壁面には位置決め用フック６４ａ，６４ｂをビスで固定しておく。この固定した位置決め用フック６４ａ，６４ｂに対し、シャワー装置固定部４２の引掛け片４２ａを引掛けて、補強部材４０の上端を一対のフック６４ａ，６４ｂに掛止し、その状態で、脚部４８の高さを調節して、脚部４８を床面に当接させ、一対のフック６４ａ，６４ｂと脚部４８で補強部材４０を仮置きすることができる。
【００２１】
その状態で図７に示すように、補強部材４０の前面側より、浴室壁面側に埋設等したそれぞれのプラグ５７にビス５６をネジ込んで、補強部材４０を浴室壁面に固定することができる。即ち、ビス５６は、補強部材４０のアングル４１の壁固定部（ビス孔）４１ｃ内に（シャワー装置固定部４２の位置では、ビス５６をバカ孔４２ｃを通して壁固定部（ビス孔）４１ｃ内に）ネジ込むことができるものである。
なお、ビス５６は、前述した６個の壁固定部（ビス孔）４１ｃの内、３個程度の壁固定部（ビス孔）４１ｃを選択してネジ込み、３個程度のビス５６を介してアングル４１の裏側の補強板面４１ｂを浴室壁面に強固に当接状に固定できるものである。
【００２２】
このように、浴室壁等の状況に合わせて、壁固定部（ビス孔）４１ｃの固定箇所を選択することができ、既設の浴室壁の裏側に配管が通っていたり、壁の裏に補強材等が存在する場合、その部分を避けてビス５６で固定することができ、また既設の浴室壁等の強度に合わせて固定箇所の数を増やすことも可能であり、既設浴室の状況に合わせて補強部材４０の固定ができるため、施工条件が緩和され、設置可能な範囲が広がり、いろいろな浴室に適応させて補強部材４０を設置することができるものである。
しかも、前述したように、最も上端側の壁固定部（ビス孔）４１ｃは、床面から９００ｍｍ以下の位置にあるように設計されているため、既設の浴室等が腰壁までがタイル張りで、腰壁上方のタイル張りなし部分との境目に段差があったり、窓がある場合でも、そのタイル張りの腰壁に良好に補強部材４０を固定することができるものとなる。
【００２３】
なお、図７に示すように、補強部材４０の水用壁出し継手５０ａには、前面側より、シャワー装置１の水栓金具２を構成する流量調節栓１４を取り付けて接続することができ、また湯用壁出し継手５０ｂには、湯用の流量調節栓１５を取り付けて接続できるものである。
【００２４】
次に、図８の斜視図で、また図９の正面図で示す補強部材４０は、前記図１，図３，図４で示した分岐なしタイプの場合の配管構成である。
なお、この図８，図９に示す補強部材４０は、前述した図６および図７に示す補強部材と同一のものであり、配管スペースＳ内の配管構成が異なるものである。
分岐なしタイプの場合は、既設の水栓金具に壁裏から配管されていた既設の給水管５８，給湯管５９を利用するものであり、既設の水栓金具を取り外して、既設の給水管５８には、室内側よりエルボ６０ａを接続し、また既設の給湯管５９にもエルボ６０ｂを接続するものである。
【００２５】
水側のエルボ６０ａから配管６１を垂下させて、洗面器台固定部４６の下端に取り付けた水抜栓５４ａ付きのエルボ５４に接続させ、このエルボ５４からフレキ管５１を取り回して、フレキ管５１の上端をシャワー装置固定部４２に取り付けた水用壁出し継手５０ａに接続しておくことができ、また、湯側のエルボ６０ｂから配管６２を垂下させ、洗面器台固定部４６の下端に取り付けた水抜栓５５ａ付きのエルボ５５に接続して、このエルボ５５からフレキ管５２を延ばし、フレキ管５２の上端を湯用壁出し継手５０ｂに接続しておくことができる。
なお、水用壁出し継手５０ａには、前面側よりシャワー装置１の流量調節栓１４を接続することができ、また湯用壁出し継手５０ｂには、前面側よりシャワー装置１の流量調節栓１５を接続することができるものである。
【００２６】
なお、補強部材４０の既設の浴室壁面等への固定方法は、図６および図７の場合と同様である。
なお、配管スペースＳ内に取り回したフレキ管５１，５２を、浴室壁面等により良好に固定するために、サドルバンド６３等を用いることができる。
このような配管構成の補強部材４０を既設の浴室壁面等に固定しておくことにより、エルボ６０ａ，６０ｂから、エルボ５４，５５を介在させて、フレキ管５１，５２を通し、良好にシャワー装置の流量調節栓１４，１５に湯水を供給することができるものであり、補強部材４０の配管スペースＳ内に配管されるため、既存の浴室壁等の裏側での配管作業等を行う必要がなく、室内側から配管等の点検等も容易に行えるものとなる。
【００２７】
次に、分岐ありタイプの補強部材、および、分岐なしタイプの補強部材４０の前面には、図１１に示すように、カバー材３０が覆設されて、カバー材３０により補強部材４０が隠蔽されるものである。
カバー材３０は、図１０の正面図で示すような構造に樹脂で形成されており、左右端にはそれぞれ縦方向に膨出部３１，３１が形成され、この膨出部３１，３１は、前述した補強部材４０を固定するビス５６，５６，５６の頭部の高さ分だけ前方側へ膨出して形成されている。
また、カバー材３０の中央部には点検口３３が形成されている。この点検口３３には、化粧ビス３４，３４，３４を介して着脱可能にカバーを設けても、また開閉できる扉を設けても良い。
【００２８】
また、カバー材３０には、上部に複数のビス孔３２，３２が形成されており、このビス孔３２，３２の前面に、図１１のようにフック３７，３７，３７を整合させて、前面側よりビス３８，３８をネジ込んで、カバー材３０の前面に複数のフック３７を取り付けると同時に、ビス３８を補強部材４０側のシャワー装置固定部４２の下孔４５内にネジ込んで、ビス３８，３８により、カバー材３０をフック３７とともに補強部材４０に固定することができるものである。
【００２９】
なお、カバー材３０の前面下部に洗面器台１３を取り付ける予定がある場合には、カバー材３０の下部に、現場で洗面器台用下孔３５，３５を形成させる必要がある。
このように、ビス３８，３８，３８で補強部材４０の前面にカバー材３０を固定した後に、カバー材３０の前面にシャワー装置１が取り付けられるものであり、シャワー装置１は、前面側からフック３７，３７，３７に掛止状に取り付けることができる。
【００３０】
更に、カバー材３０の下部には、図１２に示すように、洗面器台１３の天板１３ａから垂設されているブラケット１３ｂ，１３ｂに、それぞれワッシャー６７を介在させてボルト６８を差し込み、ボルト６８をそれぞれカバー材３０の下孔３５を通して、補強部材４０の洗面器台固定部４６の下孔４７に螺合させて、洗面器台１３を固定することができるものである。
その後に、図１３に示すように、洗面器台用カバー１３ｃをネジ６９で天板１３ａに取り付けて、このカバー１３ｃで、ブラケット１３ｂ，１３ｂを良好に隠蔽させることができるものである。
【００３１】
【発明の効果】
本発明は、湯と水を混合し得る温度調節部と、温度調節部で混合された温水を散水できる複数の散水ノズルを備え、既設の浴室壁面等に設置するシャワー装置において、まず室内から浴室壁面等に補強部材を取り付け、補強部材に対してシャワー装置を取り付け可能に構成するとともに、補強部材には、シャワー装置の温度調節部へ湯と水を供給するための配管を取り回しできる配管スペースが備えられていることにより、補強部材によってシャワー装置から設置面に掛かる荷重が分散され、既設の浴室壁面等の強度が弱い場合でも良好にシャワー装置を設置できるものとなる。
また、補強部材の内部で配管が取り回し可能であるため、配管が露出しないため見栄えが良く、掃除もし易いものとなる。
また、壁を壊して壁裏の配管を触る必要がなく、工事を短時間で低コストで行うことが可能となる。
また、補強部材内部の湯の配管に触れることがないため、内部配管には被覆材等も巻かなくて良いものとなる。
また、シャワー装置と補強部材の固定，配管の接続は統一できるため、シャワー装置の種類をたくさん用意する必要がなく、汎用性が高いものとなる。
【００３２】
また、浴室壁面等への取付面を除く補強部材のほぼ全体を、室内側よりカバー材で覆蓋したことにより、カバー材で補強部材が隠蔽され、スッキリとしたシャワー装置の設置状態が得られるものとなる。
【００３３】
また、補強部材は、浴室壁面等に当接する補強板面と、補強部材を浴室壁面等に固定するための壁固定部と、シャワー装置を固定するためのシャワー装置固定部を備え、壁固定部は、上下方向，左右方向に所定の間隔で複数の固定箇所を備え、浴室壁面等の状況等に合わせて固定箇所を選択可能に構成されていることにより、浴室壁裏に配管が通っていたり、壁裏の補強材等が存在する場合でも、その部分を避けて良好に補強部材を固定することができ、また、壁の強度に合わせて固定箇所の数を増やすこともでき、既設浴室の状況に合わせて補強部材の固定ができるため、施工条件が緩和され、いろいろな浴室に補強部材の設置が可能となる。
【００３４】
また、カバー材は、補強部材を浴室壁面等に固定した状態で着脱が可能に構成されていることにより、メンテナンスや点検の際に、シャワー装置とカバー材を取り外せば、補強部材内の配管等のメンテナンスや点検が可能となる。
【００３５】
また、補強部材には、洗面器台を固定する洗面器台固定部が備えられていることにより、補強部材の内部に配管スペースを確保した状態で、良好に洗面器台の取り付けが可能となる。
【００３６】
また、補強部材の下部には、床面へ向かって垂下状に脚部が備えられていることにより、浴室壁面の補強に加えて床面でも荷重を受けることができ、より耐荷重性能が増大するものとなる。
【００３７】
また、カバー材には、シャワー装置が取り付いた状態で開閉可能な点検口が設けられていることにより、シャワー装置が取り付いたままで補強部材内部の配管等の点検、メンテナンスが可能となり、施工性，メンテンス性が良好なものとなる。
【００３８】
また、補強部材の壁固定部は、床面からの高さが９００ｍｍ以下に設定されていることにより、補強部材の壁への固定は、既設の浴室の腰壁以下で行えるため、既設の浴室に設置する際の施工条件が緩和され、より多くの浴室に設置が可能となる。
【図面の簡単な説明】
【図１】分岐なしタイプのシャワー装置の設置状態の斜視構成図である。
【図２】シャワー装置の水栓金具部の平面拡大構成図である。
【図３】分岐なしタイプのシャワー装置の設置状態の正面構成図である。
【図４】シャワー装置の設置状態の側面構成図である。
【図５】分岐ありタイプのシャワー装置の設置状態の正面構成図である。
【図６】分岐ありタイプの補強部材の配管構成を示す斜視構成図である。
【図７】分岐ありタイプの補強部材の設置作業説明図である。
【図８】分岐なしタイプの補強部材の配管構成を示す斜視構成図である。
【図９】分岐なしタイプの補強部材の設置状態の正面構成図である。
【図１０】カバー材の正面構成図である。
【図１１】補強部材にカバー材を覆設する状態の分解斜視図である。
【図１２】洗面器台の取付状態を示す斜視構成図である。
【図１３】洗面器台にカバーを取り付ける状態の分解斜視構成図である。
【符号の説明】
１    シャワー装置
２    水栓金具部
４    ハンドシャワー／吐水口切替開閉ハンドル
５    全身シャワー開閉ハンドル
６    温度調節ハンドル
７    吐水口
９    上アーム
１０    散水ノズル
１１    下アーム
１３    洗面器台
１３ａ    天板
１３ｂ    ブラケット
１３ｃ    洗面器台カバー
１４，１５    流量調節栓
１８    温度調節部
２２    全身シャワー開閉バルブ
２４    ハンドシャワー／吐水口切替開閉バルブ
２６    既存水栓
２７    フレキ管
３０    カバー材
３１    膨出部
３２    ビス孔
３３    点検口
３４    化粧ビス
３５    洗面器台用下孔
３７    フック
３８    ビス
４０    補強部材
４１    コの字状アングル
４１ａ    前面
４１ｂ    補強板面
４１ｃ    壁固定部（ビス孔）
４２    シャワー装置固定部
４２ａ    引掛け片
４４    点検口
４５    下孔
４６    洗面器台固定部
４７    下孔
４８    脚部
４８ａ    アジャスターネジ
５０ａ    水用壁出し継手
５０ｂ    湯用壁出し継手
５１，５２    フレキ管
５４，５５    エルボ
５４ａ，５５ａ    水抜栓
５６    ビス
５７    プラグ
５８    給水管
５９    給湯管
６０ａ，６０ｂ    エルボ
６１，６２    配管
６４ａ，６４ｂ    位置決め用フック
Ｓ    配管スペース
【図１】
2004298519.tif 000003
【図２】
2004298519.tif 000004
【図３】
2004298519.tif 000005
【図４】
2004298519.tif 000006
【図５】
2004298519.tif 000007
【図６】
2004298519.tif 000008
【図７】
2004298519.tif 000009
【図８】
2004298519.tif 000010
【図９】
2004298519.tif 000011
【図１０】
2004298519.tif 000012
【図１１】
2004298519.tif 000013
【図１２】
2004298519.tif 000014
【図１３】
2004298519.tif 000015